(57)【特許請求の範囲】
【請求項１】
複数の下地ボードを、これら下地ボード間に隙間を設けて躯体に配置するとともに、これら下地ボード同士の隙間の変化を許容した状態でこれら下地ボード間の目地の前記躯体を覆う内装構造用部材を前記下地ボードに固定してなる内装構造において、
前記内装構造用部材は、一方の下地ボードの他方近接側の表面に固定される固定部と、該固定部から他方の下地ボードの方向に延出して該他方の下地ボードに先端が当接する弾性変形可能な変形部とを有してなるもので、
該変形部は前記固定部の端部から前記躯体側に延出する第１板部と、該第１板部の先端側から折り返しつつ前記他方の下地ボード側に延出する第２板部とにより構成され、
前記下地ボードの表面に貼着される化粧用シートの端末部が、前記変形部の室内側に収められることを特徴とする内装構造。
【請求項２】
複数の下地ボードを、これら下地ボード間に隙間をあけて躯体に固定することにより間に目地を設けてなる内装構造に用いられ、これら下地ボード同士の隙間の変化を許容した状態で前記目地の前記躯体を覆うもので、前記下地ボードとともに化粧用シートが貼着される内装構造用部材であって、
一方の下地ボードの他方近接側の表面に固定される固定部と、該固定部から他方の下地ボードの方向に延出して該他方の下地ボードに先端が当接する弾性変形可能な変形部とを有してなり、該変形部は前記固定部の端部から前記躯体側に延出する第１板部と、該第１板部の先端側から折り返しつつ前記他方の下地ボード側に延出する第２板部とにより構成されることを特徴とする内装構造用部材。
【請求項３】
前記固定部の表面に、固定部と第１板部の連結部分を強化する突条部が設けられていることを特徴とする請求項１に記載の内装構造。
【請求項４】
前記固定部の表面に、固定部と第１板部の連結部分を強化する突条部が設けられていることを特徴とする請求項２に記載の内装構造用部材。
【発明の詳細な説明】
【技術分野】
【０００１】
本発明は、地震等により生じる振動によって、下地ボードに貼着された化粧用シートにヨレや剥がれが生じることを防止することのできる内装構造及び内装構造用部材に関する。
【背景技術】
【０００２】
例えば、隣り合う下地ボード同士を互いに直交をなすよう配置してなる内装構造として、地震等により生じる振動によって下地ボードが波打ったり割れたりすることを防止するために、下地ボード同士を隙間をあけて躯体に固定することにより間に目地を設けてなる構造が採用されている。このような構造においては、下地ボード同士の隙間の変化を許容した状態で目地の躯体を覆うようにして一方の下地ボード側に内装構造部材が固定されている。この内装構造用部材として、他方の下地ボード側に延出してこの下地ボードに当接する中空の可撓性の変形部を有したものが開示されている。（特許文献１参照）。
【特許文献１】特開平９−２２８６０６号公報
【発明の開示】
【発明が解決しようとする課題】
【０００３】
上記のように互いに直交をなすよう配置してなる下地ボード同士を隙間をあけた状態で躯体に固定する構造では、両下地ボードの表面に貼着される化粧用シートの一部が目地に巻き込まれるようにして収められる。つまり、一方の下地ボードに設けられた内装構造用部材の変形部と、この変形部が当接する他方の下地ボードとの間に化粧用シートの一部が挟持されることになる。このように、下地ボードと内装構造用部材との間に化粧用シートを挟持すると躯体の微動によって空気の移動が生じた場合に、下地ボードと内装構造用部材との間の通気性を有する化粧用シートを介して通気が行われ、その結果、大気中の浮遊物が化粧用シートに付着し白い化粧用シートが黒ずむ場合がある。また、それと同時に化粧用シートのヨレや剥がれが生じる等の問題があった。
【０００４】
本発明は、このような事情を考慮してなされたもので、地震等によって振動力が加わった場合に、下地ボードに生じる変形を防止することができるとともに、ヨレや剥がれ等のない良好な化粧用シートの維持が可能な内装構造及び内装構造用部材を提供することである。
【課題を解決するための手段】
【０００５】
そこで、本発明において上記目的を達成するために、まず請求項１に係る発明は、複数の下地ボードを、これら下地ボード間に隙間を設けて躯体に配置するとともに、これら下地ボード同士の隙間の変化を許容した状態でこれら下地ボード間の目地の前記躯体を覆う内装構造用部材を前記下地ボードに固定してなる内装構造において、前記内装構造用部材は、一方の下地ボードの他方近接側の表面に固定される固定部と、該固定部から他方の下地ボードの方向に延出して該他方の下地ボードに当接する弾性変形可能な変形部とを有してなるもので、該変形部は前記固定部の端部から前記躯体側に延出する第１板部と、該第１板部の先端側から折り返しつつ前記他方の下地ボード側に延出する第２板部とにより構成され、前記下地ボードの表面に貼着される化粧用シートの端末部が、前記変形部の室内側に収められることを特徴とする。
【０００６】
請求項２に係る発明は、複数の下地ボードを、これら下地ボード間に隙間をあけて躯体に固定することにより間に目地を設けてなる内装構造に用いられ、これら下地ボード同士の隙間の変化を許容した状態で前記目地の前記躯体を覆うもので、前記下地ボードとともに化粧用シートが貼着される内装構造用部材であって、一方の下地ボードの他方近接側の表面に固定される固定部と、該固定部から他方の下地ボードの方向に延出して該他方の下地ボードに当接する弾性変形可能な変形部とを有してなり、該変形部は前記固定部の端部から前記躯体側に延出する第１板部と、該第１板部の先端側から折り返しつつ前記他方の下地ボード側に延出する第２板部とにより構成されることを特徴とする。
【発明の効果】
【０００７】
請求項１記載の発明によれば、内装構造用部材を下地ボード間に設けることで、躯体の微動による下地ボード同士の隙間の変化に追従することができるとともに、化粧用シートの端末部を内装構造用部材と下地ボードとの間に挟持させずに変形部の室内側に収めることによって、化粧用シートの通気が遮断されることになるため、空気の移動に伴う化粧用シートの黒ずみを防止することができるとともに隙間ラインでの化粧用シートの貼着状態を良好に保つことができ、つなぎ目部分の目隙きをなくすことができる。さらに、化粧用シートが変形部の弾性変形に追従することになるため躯体の微動等による化粧用シートのヨレや浮き剥がれを防止することができる。また、変形部は、下地ボードに貼着された化粧用シートに当接するのではなく、下地ボードの化粧用シートが貼着されない部分に当接することになるため、化粧用シートにヨレが生じてしまうことがない。よって、外観上良好な化粧用シートの貼着状態を維持することが可能となる。このような効果は、躯体の横或いは縦逸れにより下地ボード同士が平行移動した場合であっても、内装構造用部材取付け側の下地ボードに貼着された化粧用シートと他方の下地ボードに貼着された化粧用シートが変形部で分離されているため、ヨレが発生しない。このことは、内装構造用部材取付け側の他方の下地ボードに貼着された化粧用シートの端末部は、内装構造用部材の第２板部の表面に接着されている状態であり、この部分は下地ボードの表面に貼着した部分よりも接着力が弱く、特に、化粧用シート貼り用の接着剤は合成樹脂表面への接着性が悪い特性から、下地ボード同士が平行方向に振動が加わった際に剥がれることにより、化粧用シート全体に影響が及ばないことから、ヨレの発生防止に作用するものと推測される。
【０００８】
請求項２記載の発明によれば、変形部を下地ボード間に設けることで、躯体の微動による下地ボード同士の隙間の変化に追従することができる。また、化粧用シートの端末部を変形部の室内側に収めることができるので化粧用シートの通気を遮断することができる。これにより、通気に伴う化粧用シートの黒ずみを防止することができるとともに隙間ラインでの化粧用シートの貼着状態を良好に保つことができ、つなぎ目部分の目隙きをなくすことができる。さらに、化粧用シートが変形部の弾性変形に追従することになるため躯体の微動等による化粧用シートのヨレや浮き剥がれを防止できる。また、変形部は、下地ボードに貼着された化粧用シートに当接させるのではなく、下地ボードの化粧用シートが貼着されない部分に当接させることになり、化粧用シートにヨレが生じてしまうことがない。よって、外観上良好な化粧用シートの貼着状態を維持することが可能となる。このような効果は、躯体の横或いは縦逸れにより下地ボード同士が平行移動した場合であっても、内装構造用部材取付け側の下地ボードに貼着された化粧用シートと他方の下地ボードに貼着された化粧用シートが変形部で分離するように設けることにより、ヨレの発生を防止することができる。このことは、内装構造用部材取付け側の他方の下地ボードに貼着された化粧用シートの端末部が内装構造用部材の第２板部の表面に接着されている状態であり、この部分は下地ボードの表面に貼着した部分よりも接着力が弱く、特に、化粧用シート貼り用の接着剤は合成樹脂表面への接着性が悪い特性から、下地ボード同士が平行方向に振動が加わった際に剥がれることにより、化粧用シート全体に影響が及ばないことから、ヨレの発生防止に作用するものと推測される。
【発明を実施するための最良の形態】
【０００９】
次に、本発明の第１実施形態を図１から図３を参照して以下に説明する。
図１は、第１実施形態の内装構造を壁構造に適用した例を示すものであって、表側（室内側）が平坦な面部２ａと該面部２ａに対し垂直をなす平坦な面部２ｂとされた入隅部６を形成するコンクリートからなる躯体２と、該躯体２の面部２ａ，２ｂに固定された隣り合う一対の同厚の下地ボード４，５と、面部２ａ，２ｂに各下地ボード４，５を固定するための接着剤３０，３１とから構成されている。なお、下地ボード４，５は下地構成材にビス止めされているものであっても良い。
【００１０】
両下地ボード４，５同士は、躯体２の各面部２ａ，２ｂに固定されることにより、略直交をなして配置されており、しかも、この状態で、一方の下地ボード４の室内側の表面４ｂに対し直交する側面（対向面）４ａと他方の下地ボード５の室内側の表面（対向面）５ｂとを相互に平行に対向させるよう相互に隙間をあけていて、これら側面４ａ及び表面５ｂの間に隙間すなわちボード目地Ｗを形成している。
【００１１】
ボード目地Ｗには、該ボード目地Ｗの変化すなわち隣り合う下地ボード４，５同士の隙間の変化を許容した状態で躯体２を覆う合成樹脂製の隙間許容部材（内装構造用部材）１が設けられている。この隙間許容部材１は、一方の下地ボード４に固定されるもので、所定肉厚を有する平面視長方形状の固定部１０と、該固定部１０の幅方向一端から他方の下地ボード５の方向に延出する断面視略Ｖ字形状の変形部１１とから構成され、これら固定部１０及び変形部１１は、押出成形で一体的に形成されている。
【００１２】
固定部１０は、図２に示すように、表面に連続する凹凸４５を有するとともに幅方向一端側が先端側ほど薄厚形状となるよう形成されている。また、図３に示すように、長手方向に沿うようにして多数のひし形貫通孔１２を幅方向中央部に１列で整列させ、その両側に１列ずつ整列状態で多数の貫通孔１３を有している。
【００１３】
上記固定部１０の幅方向一方の端部から他方の下地ボード５側に延出するようにして設けられる変形部１１は、図１に示すように、固定部１０の端部から該固定部１０に対して垂直をなして躯体２側に側面４ａに沿って延出する平板状の第１板部１６と、該第１板部１６の先端側から折り返しつつ他方の下地ボード５側に延出する平板状の第２板部１７とにより断面視略Ｖ字形状に構成され、該第２板部１７は第１板部１６に対して所定の角度θ１で折り返されている。すなわち、図２に示すように、第１板部１６の表面１６ｂと第２板部１７の表面１７ｂとのなす角が角度θ１となっている。なお、変形部１１の第２板部１７の板厚は、先端に行くにしたがって薄く形成されている。
【００１４】
このような変形部１１は、第１板部１６及び第２板部１７の境界端部とは反対側の端部同士の接離に伴って、第１板部１６及び第２板部１７のなす角度θ１が随時可変することにより、その延出方向に弾性的な伸縮性を有したものとなる。変形部１１は、その伸縮性から下地ボード４，５の相互接離方向に伸縮変形することで隙間の変化に追従する。またこのことから、変形部１１の下地ボード５への当接状態が確実となって、下地ボード４，５間の隙間の躯体２を常に覆うことになる。なお、固定部１０の表面には、第１板部１６側の端部から表面に形成された凹凸４５に続くようにして外方へと突出する突条部１９（図２参照）が設けられ、これにより固定部１０と第１板部１６との連結部分が強化される。
【００１５】
そして、この隙間許容部材１は、変形部１１の第２板部１７の先端を下地ボード５に当接させる程度に下地ボード４，５の間に設けられた状態で、固定部１０が下地ボード４の表面４ｂに接着パテ等で固定される。
【００１６】
上記のようにして下地ボード４に固定された隙間許容部材１の固定部１０から下地ボード４の表面４ｂにかけて下地パテ２０を塗布して表側を平滑にする。そして、該下地パテ２０及び下地ボード４の表面４ｂ側に、化粧用シート２２が貼られており、この化粧用シート２２は端末部側が隙間許容部材１の固定部１０に塗布された下地パテ２０を覆って第１板部１６に貼着されている。さらに下地ボード５の表面５ｂにも同様の化粧用シート２３が貼られていて、この化粧用シート２３は、端末部が隙間許容部材１の第２板部１７に貼着されている。その結果、これら化粧用シート２２，２３の相互近接側の端末部が変形部１１の室内側の表面にともに収められている。化粧用シート２２，２３は、下地ボード４の表面に接着剤を用いて貼着され、これら化粧シートの端末部を変形部１１へ巻き込む寸法を見込んでカットされ、各端末部をヘラ等を用いて変形部１１に押入れて収める。また、化粧シート貼り用の接着剤は貼り直し可能な性質により、これら化粧用シート２２、２３を仮貼りして体裁を整えた後、各端末部を変形部１１内に収めることも可能である。
このように端末部を変形部１１の表面（室内側）に収めることで、化粧用シート２２，２３を介した躯体２側への通気が遮断されることになる。また、第２板部１７の先端を薄く形成しておくことによって化粧用シート２２，２３の各端末部を挿入する際にヘラが当たってしまうことがない。
【００１７】
次に、以上の内装構造の施工について説明する。躯体２の面部２ａ，２ｂの適宜の位置に接着剤３０，３１を塗り、下地ボード５の表面５ｂに下地ボード４の側面４ａを突き合わせ状態にする。そして、下地ボード５の表面５ｂと下地ボード４の側面４ａとの間に隙間許容部材１の変形部１１を挿入可能な隙間を設け、これら下地ボード４，５を躯体２に塗られた接着剤３０，３１に押し当てて固定する。
【００１８】
下地ボード５の表面５ｂ及び下地ボード４の側面４ａの間の隙間は、隙間許容部材１を下地ボード４に添えて定規代わりにすることで変形部１１に沿った隙間を形成することができる。これにより、下地ボード５の表面５ｂ及び下地ボード４の側面４ａの間にボード目地Ｗが形成される。このボード目地Ｗに変形部１１を挿入した状態で固定部１０を下地ボード４に接着させる。
【００１９】
さらに、隙間許容部材１が下地ボード４に固定された状態で、図１に示すように、固定部１０から下地ボード４の表面４ｂにかけて下地パテ２０を塗布して表側を平滑にする。そして、同図に示すように、下地ボード４の表面４ｂ及び下地パテ２０の表面に化粧用シート２２を、下地ボード５の表面５ｂに化粧用シート２３を、それぞれ貼り付け、これら化粧用シート２２，２３の近接側の各端末部を変形部１１の表面（室内側）上に収める。
【００２０】
以上に述べた内装構造及び隙間許容部材１によれば、地震等による振動力が加わった場合にも、隙間許容部材１を下地ボード４，５間に設けることで、躯体２の微動による下地ボード４，５同士の隙間の変化に追従することができる。つまり、微動に伴い第１板部１６と第２板部１７とのなす角度θ１が随時変化することによって下地ボード４，５同士の隙間の変化に追従でき、隙間をあけることなく微動を吸収することになる。さらに、微動の吸収は角度θ１の変動だけでなく、固定部１０に対する変形部１１の回動によっても可能である。つまり、固定部１０は、変形部１１と同じ弾性変形可能な材質のため、変形部１１の動きに即した変形が可能である。したがって、変形部１１が、固定部１０に対して境界部分を中心に回動することにより、微動による下地ボード５の側面５ａと躯体２の面部２ａとの隙間の変化に追従することができるので微動の吸収が可能となる。
【００２１】
また、化粧用シート２２，２３を隙間許容部材１と下地ボード４，５との間に挟持させずに第１板部１６及び第２板部１７の表面１６ｂ，１７ｂに貼着させることによって、化粧用シート２２，２３の通気が遮断され、空気の移動に伴う化粧用シート２２，２３の黒ずみを防止することができる。
【００２２】
そして、上述のように、各下地ボード４，５に化粧用シート２２，２３をそれぞれ貼着する場合にも、各化粧用シート２２，２３の各端末部を変形部１１の表面（室内側）に貼着することによって、化粧用シート２２，２３のつなぎ目部分を外部から目立たなくすることができるので隙間ラインでの化粧用シート２２，２３の貼着状態を良好に保つことができるとともに、つなぎ目部分の目隙きをなくすことができる。
【００２３】
さらに、化粧用シート２２，２３が変形部１１の変形に追従することになるため躯体２の微動等による化粧用シート２２，２３のヨレや浮き剥がれを防止できる。よって、外観上良好な化粧用シート２２，２３の貼着状態を維持することが可能となる。
【００２４】
また、変形部１１は、下地ボード５に貼着された化粧用シート２３に当接するのではなく、下地ボード５の化粧用シート２３が貼着されない部分に当接することになり、化粧用シート２３にヨレが生じてしまうことがない。
【００２５】
また、固定部１０の表面に設けられた連続する凹凸４５によって化粧用シート２２を貼着する表面積が増えて接着性が向上し、微動による化粧用シート２２のズレを防止することができるのでより確実かつ良好な化粧用シート２２の貼着を可能にする。
【００２６】
このような効果は、躯体２の横或いは縦逸れにより下地ボード４，５同士が平行移動した場合であっても、隙間許容部材１の取付け側の下地ボード４に貼着された化粧用シート２２と他方の下地ボード５に貼着された化粧用シート２３が変形部１１で分離されているため、ヨレが発生しない。このことは、隙間許容部材１の取付け側の他方の下地ボード４に貼着された化粧用シート２２の端末部は、隙間許容部材１の第２板部１７の表面１７ｂに接着されている状態であり、この部分は下地ボード４の表面４ｂに貼着した部分よりも接着力が弱く、特に、化粧用シート貼り用の接着剤は合成樹脂表面への接着性が悪い特性から、下地ボード４，５同士が平行方向に振動が加わった際に剥がれることにより、化粧用シート２２，２３の全体に影響が及ばないことから、ヨレの発生防止に作用するものと推測される。
【００２７】
次に、本発明の第２実施形態を主に図４を参照して以下に説明する。
図４は、上記内装構造に適応した第２実施形態の隙間許容部材（内装構造用部材）３３を示すものである。この隙間許容部材３３の変形部３４は、上述した固定部１０の端部から躯体２側に傾斜しつつ他方の下地ボード５側に延出する第１板部３５と、この第１板部３５の先端側から折り返しつつ他方の下地ボード５側に延出する第２板部３６とによって形成されている。この第２板部３６は、その先端が薄く形成されており、他方の下地ボード５の表面５ｂに沿う状態となっている。そして、第２板部３６は第１板部３５に対して上記角度θ１よりも広角となるよう所定の角度θ２で折り返され、したがって、第１板部３５の表面３５ｂと第２板部３６の表面３６ｂとのなす角がθ２となっている。
【００２８】
以上に述べた第２実施形態によれば、第１板部３５が固定部１０に対して傾斜した状態となっていることから、変形部３４が下地ボード５側へとさらに延出することになって、下地ボード４，５の間の隙間をより大きく許容することが可能となる。また、第１板部３５の表面３５ｂと第２板部３６の表面３６ｂとのなす角度θ２が広角となることによって、角度θ２の変動範囲が拡大するとともに、接離可能な第１板部３５の端部及び第２板部３６の端部同士の接離方向への距離が長くなるため、地震等による振動力が加わった場合に、微動による下地ボード４，５同士の隙間の、より大きな変化に追従できて微動の吸収力を高めることができる。また、微動の吸収は、角度θ２の変動だけでなく固定部１０に対する変形部３４の回動によっても可能となる。つまり、この変形部３４においても弾性変形可能な固定部１０によって、変形部１１の動きに即した変形が可能である。したがって、変形部３４が、固定部１０に対して境界部分を中心に回動することにより、微動による下地ボード５の側面５ａと躯体２の面部２ａとの隙間の変化に追従することができるので微動の吸収が可能となる。
【００２９】
次に、本発明の第３実施形態を主に図５を参照して以下に説明する。
本実施形態は、上記隙間許容部材１，３３の使用を可能とする内装構造であって、第１実施形態の内装構造と異なる点は、隣り合う下地ボード４，５同士が略同一平面に配置されている点である。ここでは、隙間許容部材１を使用した場合について述べる。
両下地ボード４，５同士は、相互に隙間許容部材１の変形部１１を挿入可能な隙間をあけ、対向する側面４ａ，５ａ同士を平行に配置した状態で躯体２の面部２ａに接着剤３０を介して固定されており、これにより、略同一平面に配置されるとともに、側面４ａ，５ａ間に隙間、すなわちボード目地Ｗを構成している。このボード目地Ｗに、上記隙間許容部材１を設けることによって下地ボード４，５間の隙間の躯体２を常に覆うことになる。しかし、下地ボード４，５同士が同一平面に配置されていることによって、一方の下地ボード４に隙間許容部材１を設けると、他方の下地ボード５の表面５ｂとに段差が生じてしまう。したがって、下地ボード４，５の表面高さを揃えるために他方の下地ボード５の表面５ｂに隙間許容部材１の変形部１１を切除した固定部１０のみを設けるか、固定部１０と同等の厚みを有する板部を設けるかする。図中に示されるように、変形部１１の第２板部１７を切除したものを用いてもよい。そして、その上から下地パテ２０を塗布して表側を平滑にし、化粧用シート２３を貼着することによって、下地ボード４上に貼着される化粧用シート２２と略同一平面にすることができる。
よって、本実施形態においても、上記実施形態と同様の効果を奏することができる。
【００３０】
以上に述べたことから、地震等によって振動力が躯体２に加わった場合でも、下地ボード４，５に生じる変形を防止することができるとともに、ヨレや剥がれ等のない良好な化粧用シート２２，２３の貼着を維持することができる。
【００３１】
なお、以上においては、内装構造として壁構造を例にとり説明したが、天井構造にも適用可能であって壁と天井との境界部分にも勿論使用可能である。また、上記下地ボード４，５としては、石膏ボード、ベニヤ合板、ケイカル板等の種々のボードが適用できる。また、上記第１実施形態においては、略直角の角部を有する内装構造について述べたが、これに限らず、例えば、１３５度の角度を有する船底天井等にも隙間許容部材１，３３の適応が可能である。また、隙間許容部材１は、必要に応じて複数の材料を用いた押出成形による一体成形品であってもよい。
【図面の簡単な説明】
【００３２】
【図１】本発明における第１実施形態の内装構造及び隙間許容部材を示す平面図である。
【図２】本発明における第１実施形態の隙間許容部材を示す側面図である。
【図３】本発明における第１実施形態の隙間許容部材を示す平面図である。
【図４】本発明における第２実施形態の隙間許容部材を示す平面図である。
【図５】本発明における第３実施形態の内装構造を示す平面図である。
【符号の説明】
【００３３】
１，３３  隙間許容部材（内装構造用部材）
２  躯体
４，５  下地ボード
１０  固定部
１１，３４  変形部
１６，３５  第１板部
１７，３６  第２板部
２２，２３  化粧用シート
Ｗ  ボード目地
【図１】
0004741314.tif 000002
【図２】
0004741314.tif 000003
【図３】
0004741314.tif 000004
【図４】
0004741314.tif 000005
【図５】
0004741314.tif 000006